(57)【要約】【課題】ユーザーが誤ってペン先突出状態のまま衣類のポケットに挿入しても、ポケットをインキで汚すことを回避できる多芯筆記具を提供する。【解決手段】軸筒２内に複数の筆記体６を前後方向に移動可能に収容する。各々の筆記体６の後端に操作体７を連結する。軸筒２の窓孔４１から径方向外方に操作体７を突出させる。操作体７を窓孔４１に沿って前方に移動させることにより、筆記体６のペン先６１を軸筒２の前端孔３１から出没させる。軸筒２の後端に、窓孔４１を後方に開口させる開閉自在の開口部４２を設ける。開口部４２を介して筆記体６及び操作体７を交換可能に構成する。軸筒２の後端部に、開口部４２を開閉自在とする蓋部５を設ける。開口部４２の閉鎖状態において、蓋部５を前後方向に移動可能に構成する。蓋部５を前方に移動させることによって、ペン先突出状態を解除する。【選択図】  図３
2010284934.tif 000002
【特許請求の範囲】
【請求項１】
軸筒内に複数の筆記体を前後方向に移動可能に収容し、前記各々の筆記体の後端に操作体を連結し、前記各々の筆記体及び操作体を弾発体により後方に付勢し、前記軸筒の側壁に前後方向に延びる複数の窓孔を径方向に貫設し、前記各々の窓孔から径方向外方に前記各々の操作体を突出させ、一つの操作体を窓孔に沿って前方に移動させることにより、その一つの操作体を先にペン先突出状態にあった他の筆記体の操作体と当接させ、先にペン先突出状態にあった他の筆記体の操作体と軸筒内壁との係止状態を解除し、先に突出状態にあった他の筆記体のペン先を軸筒内に没入させ、前記前方に移動させた操作体に連結された筆記体のペン先を軸筒の前端孔から突出させてなり、
前記軸筒の後端に、窓孔を後方に開口させる開閉自在の開口部を設け、前記開口部を介して筆記体及び操作体を、軸筒内から取り外し可能且つ軸筒内に挿入可能に構成し、前記軸筒の後端部に、前記開口部を開閉自在とする蓋部を設けた多芯筆記具であって、
前記蓋部による開口部の閉鎖状態において、前記蓋部を前後方向に移動可能に構成し、前記蓋部の前面にペン先没入状態の筆記体の操作体を当接させ、
一つの筆記体のペン先突出状態において、前記蓋部を前方に移動させることによって、ペン先没入状態の他の筆記体の操作体を前方に移動させ、その一つの筆記体のペン先突出状態を解除してなることを特徴とする多芯筆記具。
【請求項２】
蓋部に係合部及び規制部を設け、一方、軸筒に、前記係合部と係脱自在に係合する被係合部、及び前記規制部と前後方向に当接し且つ蓋部の前方移動を阻止する被規制部を設け、前記蓋部による開口部の閉鎖状態において、前記係合部と前記被係合部とを係合させ、前記係合部と被係合部との係合によって蓋部の後方移動を阻止するとともに、前記規制部と前記被規制部との間に前後方向の隙間を形成してなる請求項１記載の多芯筆記具。
【請求項３】
蓋部が、筆記体及び操作体を後方に付勢する弾発体のみによって後方に付勢される請求項１または２記載の多芯筆記具。
【発明の詳細な説明】
【技術分野】
【０００１】
本発明は、多芯筆記具に関する。詳細には、軸筒内に複数の筆記体を収容し、前記筆記体を軸筒の後端の開口部より交換可能にした多芯筆記具に関する。
【背景技術】
【０００２】
特許文献１には、軸筒内に複数の筆記体を前後方向に移動可能に収容し、前記各々の筆記体を弾発体により後方に付勢し、前記各々の筆記体の後端に、各々の筆記体に対応した操作体を連結し、軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させた多芯筆記具であって、軸筒の後端に、窓孔を後方に開口させる開閉自在の開口部を設け、前記開口部を介して筆記体及び操作体を、軸筒内から取り外し可能且つ軸筒内に挿入可能に構成し、前記軸筒の後端部に、前記開口部を開閉自在な蓋部を設け、前記蓋部の一端部が、ヒンジ部により軸筒の後端部側壁に回動自在に接続された構造が開示されている。
【先行技術文献】
【特許文献】
【０００３】
【特許文献１】特開２００７−３８６３５号公報
【発明の概要】
【発明が解決しようとする課題】
【０００４】
前記従来の多芯筆記具は、ユーザーが、誤って一つの筆記体のペン先を軸筒の前端孔から突出させた状態のまま衣類のポケットに挿入して、ポケットをインキで汚すことがある。
【０００５】
本発明は、前記従来の問題点を解決するものであって、ペン先突出状態のまま衣類のポケットに挿入しても、ポケットをインキで汚すことを回避できる多芯筆記具を提供しようとするものである。
尚、本発明において、軸筒において、「前」とは前端孔側を指し、「後」とはその反対の開口部側を指し、筆記体において、「前」とはペン先側を指し、「後」とはその反対側を指す。
【課題を解決するための手段】
【０００６】
本願の第１の発明は、軸筒２内に複数の筆記体６を前後方向に移動可能に収容し、前記各々の筆記体６の後端に操作体７を連結し、前記各々の筆記体６及び操作体７を弾発体８により後方に付勢し、前記軸筒２の側壁に前後方向に延びる複数の窓孔４１を径方向に貫設し、前記各々の窓孔４１から径方向外方に前記各々の操作体７を突出させ、一つの操作体７を窓孔４１に沿って前方に移動させることにより、その一つの操作体７を先にペン先突出状態にあった他の筆記体６の操作体７と当接させ、先にペン先突出状態にあった他の筆記体６の操作体７と軸筒２内壁との係止状態を解除し、先に突出状態にあった他の筆記体６のペン先６１を軸筒２内に没入させ、前記前方に移動させた操作体７に連結された筆記体６のペン先６１を軸筒２の前端孔３１から突出させてなり、前記軸筒２の後端に、窓孔４１を後方に開口させる開閉自在の開口部４２を設け、前記開口部４２を介して筆記体６及び操作体７を、軸筒２内から取り外し可能且つ軸筒２内に挿入可能に構成し、前記軸筒２の後端部に、前記開口部４２を開閉自在とする蓋部５を設けた多芯筆記具であって、前記蓋部５による開口部４２の閉鎖状態において、前記蓋部５を前後方向に移動可能に構成し、前記蓋部５の前面にペン先没入状態の筆記体６の操作体７を当接させ、一つの筆記体６のペン先突出状態において、前記蓋部５を前方に移動させることによって、ペン先没入状態の他の筆記体６の操作体７を前方に移動させ、その一つの筆記体６のペン先突出状態を解除してなることを要件とする。
【０００７】
前記第１の発明の多芯筆記具１は、ユーザーが、誤って一つの筆記体６のペン先６１を軸筒２の前端孔３１から突出させた状態のまま衣類のポケットに挿入しても、ポケットに挿入する際、無意識に軸筒２の後端部の蓋部５を前方に押圧する。前記蓋部５の前方への押圧により、ペン先没入状態の筆記体６の操作体７が前方に移動され、その一つの筆記体６のペン先突出状態が解除される。それにより、ペン先突出状態のまま衣類のポケットに挿入しても、ポケットをインキで汚すことを回避できる。また、前記第１の発明の多芯筆記具１は、開閉自在の蓋部５がペン先突出状態を解除する解除操作部を兼ねることにより、部品数が増加せず、簡易な構造を維持できる。
【０００８】
本願の第２の発明は、前記第１の発明の多芯筆記具１において、蓋部５に係合部５４及び規制部５５を設け、一方、軸筒２に、前記係合部５４と係脱自在に係合する被係合部４４、及び前記規制部５５と前後方向に当接し且つ蓋部５の前方移動を阻止する被規制部４５を設け、前記蓋部５による開口部４２の閉鎖状態において、前記係合部５４と前記被係合部４４とを係合させ、前記係合部５４と被係合部４４との係合によって蓋部５の後方移動を阻止するとともに、前記規制部５５と前記被規制部４５との間に前後方向の隙間Ｔを形成してなることを要件とする
【０００９】
前記第２の発明の多芯筆記具１は、蓋部５の前後方向の移動可能量を一定に維持でき、その結果、ポケットに挿入する際、蓋部５を前方に安定して押圧できる。
【００１０】
本願の第３の発明は、前記第１または第２の発明の多芯筆記具１において、蓋部５が、筆記体６及び操作体７を後方に付勢する弾発体８のみによって後方に付勢されることを要件とする。
【００１１】
前記第３の発明の多芯筆記具１は、蓋部５を後方に付勢するための別の弾発体が不要となるため、部品数の増加を抑えることができる。しかも、前記第３の発明の多芯筆記具１は、蓋部５を後方に付勢するための別の弾発体が不要となるため、開口部４２を介しての筆記体６及び操作体７の交換が容易となる。さらに、前記第３の発明の多芯筆記具１は、蓋部５を後方に付勢するための別の弾発体が不要となるため、蓋部５を後方に付勢する弾発力を過剰に強くすることなく、ペン先突出状態の容易な解除が可能となる。
【発明の効果】
【００１２】
本発明の多芯筆記具によれば、ペン先突出状態のまま衣類のポケットに挿入しても、ポケットをインキで汚すことを回避できる。
【図面の簡単な説明】
【００１３】
【図１】本発明の第１の実施の形態の全ペン先没入状態の縦断面図である。
【図２】図１のペン先突出状態を示す縦断面図である。
【図３】図１のペン先突出状態を示す側面図である。
【図４】図３の蓋部を前方移動させる前状態の要部拡大図（一部切り欠き縦断面図）である。
【図５】図３の蓋部を前方移動させた状態の要部拡大図（一部切り欠き縦断面図）である。
【図６】図１の開口部を開口させた状態の軸筒の側面図である。
【図７】図１の開口部を開口させた状態の軸筒の縦断面図である。
【図８】図１の筆記体及び操作体の正面図である。
【図９】本発明の第２の実施の形態の蓋部を前方移動させた状態の要部拡大図（一部切り欠き縦断面図）である。
【発明を実施するための形態】
【００１４】
＜第１の実施の形態＞
図１乃至図８に本発明の第１の実施の形態を示す。
【００１５】
本実施の形態の多芯筆記具１は、軸筒２内に複数本（具体的には２本）の筆記体６が前後方向に移動可能に収容されている。前記各々の筆記体６の後端には、操作体７が固着される。前記各々の筆記体６及び操作体７は、弾発体８（具体的には圧縮コイルスプリング）により後方に付勢されている。尚、本発明において、前記軸筒２内に移動可能に収容する筆記体６の本数は、２本以上であればよく、２本以外にも、３本、４本、５本、６本等であってもよい。
【００１６】
（軸筒）
前記軸筒２は、先細状の円筒体からなる前軸３と、該前軸３の後端部と螺合または圧入により取り付けられる円筒状の後軸４とからなる。前記前軸３の前端には、筆記体６のペン先が突出可能な前端孔３１が軸方向に貫設される。前記前軸３及び後軸４は、合成樹脂（例えば、ポリカーボネイト等）の射出成形により得られる。
【００１７】
前記後軸４の後部の側壁には、複数本（具体的には２本）の前後方向に延びる細長状の窓孔４１が、径方向に貫設される。また、前記後軸４の後端部には、軸方向後方に貫通し且つ径方向外方に開口する開口部４２が形成される。前記開口部４２は、後軸４の後端（即ち軸筒２の後端）において窓孔４１と連通され、それにより、窓孔４１後端が後方に切り欠かれ後方に開口されている。一方、前記窓孔４１の前端は常時閉鎖されている。
【００１８】
また、前記後軸４の窓孔４１の相互間の側壁内面には、前後方向に延びるリブよりなる係止壁部４６が形成され、前記係止壁部４６に、ペン先６１が突出した際の筆記体６の操作体７の後端が係止される。
【００１９】
前記後軸４の窓孔４１の相互間の側壁外面には、クリップ４３が突設される。前記クリップ４３の基部には、ヒンジ部４７が形成される。
【００２０】
（蓋部）
前記後軸４の後端部には、前記開口部４２を開閉自在にする蓋部５が回動自在に設けられる。前記蓋部５は、開口部４２を塞ぐ蓋本体５１と、該蓋本体５１に連設される２本の脚片５２とからなる。前記蓋部５の脚片５２は、ヒンジ部４７により後軸４に回動自在に接続される。前記ヒンジ部４７の回動軸は、ペン先下向きでクリップ４３を正面視したときのクリップ４３の左右方向に延設され、それにより、前記蓋部５は、略前後方向に回動自在となる。
【００２１】
尚、本実施の形態では、ヒンジ部４７は、例えば、軸受け部の左右両側外方に開口する軸受け孔と、蓋部５の脚片５２の左右両側内方に突出する回動軸とからなる構成、または、軸受け部の左右両側外方に突出する回動軸と、蓋部５の脚片５２の左右両側内方に開口する軸受け孔とからなる構成が挙げられる。また、本実施の形態では、前記ヒンジ部４７は、回動軸により回動自在に接続される構成が採用されているが、これ以外にも、本発明は、屈曲変形可能な可撓性を有する連結部または薄肉部により一体に接続される構成であってもよい。
【００２２】
前記蓋部５（蓋本体５１）の前面には、当接壁部５３が形成される。前記当接壁部５３に、ペン先没入状態の筆記体６の後端に連結された各々の操作体７の後端が衝止される。前記蓋部５の前面に、ペン先没入状態の筆記体６の操作体７後端が当接することにより、筆記体６及び操作体７を後方に付勢する弾発体８により蓋部５が後方に付勢される。即ち、蓋部５は、筆記体６及び操作体７を後方に付勢する弾発体８のみにより後方に付勢される。
【００２３】
（規制部、被規制部）
前記蓋部５（蓋本体５１）の前面には、規制部５５が設けられる。軸筒２の後端には、被規制部４５が設けられる。前記蓋部５を前方に押圧し、蓋部５を前方移動させた際、前記蓋部５の規制部５５と前記軸筒２後端の被規制部４５とが前後方向に当接し、蓋部５の前方移動が阻止される。
【００２４】
（係合部、被係合部）
前記蓋部５（蓋本体５１）の前面には、係合部５４が設けられる（具体的には係合凹部または係合孔部が形成される）。後軸４の後端には、前記係合部５４と係合可能な被係合部４４が設けられる（具体的には係合凸部が突設される）。前記係合部５４（係合凹部または係合孔部）の内面には、内向突起が形成され、一方、前記被係合部４４（係合凸部）の外面には、前記内向突起と乗り越え係止可能な外向突起が形成される。
【００２５】
前記係合部５４と前記被係合部４４は、蓋部５が開口部４２を閉鎖した際、互いに係合状態にあり（具体的には内向突起と外向突起が乗り越え係止状態にあり）、弾発体８の後方への付勢による操作体７と蓋部５前面の当接壁部５３との当接では、その係合状態は解除されず、蓋部５が開くことはない。即ち、前記蓋部５による開口部４２の閉鎖状態において、係合部５４と被係合部４４との係合により、蓋部５の後方移動が阻止される。尚、前記係合部５４と被係合部４４の構成以外にも、前記係合部５４が係合凸部よりなり、前記被係合部４４が係合凹部または係合孔部からなる構成でもよい。
【００２６】
（前後方向の隙間）
前記蓋部５による開口部４２の閉鎖状態において、前記蓋部５は、ペン先没入状態の筆記体６の操作体７との当接により後方に付勢される。このとき、係合部５４と被係合部４４とが係合し、蓋部５の後方移動が阻止されるとともに、規制部５５と被規制部４５との間に前後方向の隙間Ｔが形成される。
【００２７】
（筆記体）
前記各々の筆記体６は、例えば、ボールペンレフィル、シャープペンシルレフィル、サインペンレフィル、マーキングペンレフィル等、入力ペンレフィル（スタイラスペンレフィル）公知のペン先６１を備えたレフィルが挙げられる。
【００２８】
本実施の形態では、ボールペンレフィルが採用される。前記ボールペンレフィルは、ボールペンチップ（ペン先６１）と、該ボールペンチップを前端に備え且つ内部にインキが収容されたインキ収容管６２とからなる。
【００２９】
（操作体）
前記各々の筆記体６の後端（即ちインキ収容管６２の後端開口部）には、操作体７が取り付けられる。前記各々の操作体７は、後端部に形成され且つ軸筒２の窓孔４１から外部に突出する操作部７１と、該操作部７１の反対側に設けられる前側突出部７２と、該操作部７１の反対側の前側突出部７２の後方に設けられる後側突出部７３と、前端部に形成され且つインキ収容管６２の後端開口部に嵌入される嵌入部７４と、該嵌入部７４の後方に形成される鍔部７５とを備える。前記鍔部７５の前面には、弾発体８の後端が係止される。
【００３０】
筆記体６のペン先６１が没入状態のとき、その筆記体６に取り付けられた操作体７の後端部は、蓋部５の前面に形成された当接壁部５３に衝止される。一方、筆記体６のペン先６１が突出状態のとき、その筆記体６に取り付けられた操作体７の後端部は、軸筒２の内壁に形成された係止壁部４６に係止される。
【００３１】
ペン先没入状態にある筆記体６の後端に連結された操作体７の前側突出部７２は、その操作体７の操作部７１を前方に移動させた際、先にペン先突出状態にある他の筆記体６の後端に連結された操作体７の後側突出部７３と当接され、他の筆記体６の後端に連結された操作体７と係止壁部４６との係止状態が解除され、他の筆記体６のペン先突出状態が解除される。
【００３２】
（弾発体支持部）
軸筒２の内壁（即ち後軸４の内壁）には、円筒状の弾発体支持部９が設けられる。前記弾発体支持部９は、筆記体６が挿通される複数（具体的には２個）の内孔９１が軸方向に貫設されている。前記弾発体支持部９の後面と、各々の操作体７の鍔部７５の前面との間には、弾発体８が配置される。前記各々の弾発体８の内部に筆記体６が遊挿されるとともに、各々の弾発体８の前端は弾発体支持部９の後面により係止され、各々の弾発体８の後端は操作体７の鍔部７５の前面に係止される。前記弾発体により、筆記体６及び操作体７が後方に付勢される。
【００３３】
（ペン先の出没）
本実施の形態におけるペン先６１の出没作動について説明する。
一つの操作体７の操作部７１を弾発体８の後方付勢に抗して窓孔４１に沿って前方に移動させると、その前方に移動させた操作体７の前側突出部７２が、先に突出状態にある他の筆記体６の操作部７１の後側突出部７３を径方向外方に持ち上げる。それにより、軸筒２内壁の係止壁部４６と操作体７との係止状態が解除され、他の筆記体６が弾発体８の後方付勢により後方に移動され、他の筆記体６のペン先６１が軸筒２内に没入され、他の筆記体６の操作部７１の後端が蓋部５の前面の当接壁部５３に当接衝止される。前記他の筆記体６のペン先６１の没入と同時に、前記前方に移動させた操作体７に連結された筆記体６のペン先６１が、軸筒２の前端孔３１より外部に突出されるとともに、前方に移動させた操作体７の後端が軸筒２内壁の係止壁部４６に係止され、そのペン先突出状態が維持される。
【００３４】
（筆記体及び操作体の交換）
本実施の形態における筆記体６及び操作体７の交換について説明する。
筆記体６を交換する際、蓋部５が軸筒２の後端の開口部４２を閉鎖した状態（図３参照）から、蓋部５のヒンジ部４７と反対側の操作端部を後方に押圧し、係合部５４と被係合部４４との係合を解除し、蓋部５を後方に回動させ、軸筒２の後端の開口部４２を開口する。前記開口部４２を開口させると、前記開口部４２から各々の操作体７が、弾発体８の後方付勢により後方外部に突出される。前記軸筒２の後端の開口部４２が開口した状態で、操作体７を取り出すことにより、その操作体７と互いに連結状態にある筆記体６を前記開口部４２を介して軸筒２内から取り出し、その後、互いに連結状態にある新たな筆記体６と新たな操作体７とを前記開口部４２を介して軸筒２内に挿入する（図６乃至図８参照）。そして、蓋部５の当接壁部５３に各々の操作体７を当接させ、各々の操作体７を前方に押圧しながら蓋部５を前方に回動させ、その後、係合部５４と被係合部４４とを係合させ、開口部４２を閉鎖する。これにより、筆記体６及び操作体７の交換作業が終了する。
【００３５】
（本実施の形態の作用）
本実施の形態の多芯筆記具１は、ユーザーが、誤って一つの筆記体６のペン先６１を軸筒２の前端孔３１から突出させた状態のまま衣類のポケットに挿入しても、ポケットに挿入する際、無意識に軸筒２の後端部の蓋部５を前方に押圧する。前記蓋部５の前方への押圧により、ペン先没入状態の筆記体６の操作体７が前方に移動され、その一つの筆記体６のペン先突出状態が解除される。それにより、ペン先突出状態のまま衣類のポケットに挿入しても、ポケットをインキで汚すことを回避できる。また、本実施の形態の多芯筆記具１は、開閉自在の蓋部５がペン先突出状態を解除する解除操作部を兼ねることにより、部品数が増加せず、簡易な構造を維持できる。
【００３６】
本実施の形態の多芯筆記具１は、蓋部５に係合部５４及び規制部５５を設け、一方、軸筒２に、前記係合部５４と係脱自在に係合する被係合部４４、及び前記規制部５５と前後方向に当接し且つ蓋部５の前方移動を阻止する被規制部４５を設け、前記蓋部５による開口部４２の閉鎖状態において、前記係合部５４と前記被係合部４４とを係合させ、前記係合部５４と被係合部４４との係合によって蓋部５の後方移動を阻止するとともに、前記規制部５５と前記被規制部４５との間に前後方向の隙間Ｔを形成してなることにより、蓋部５の前後方向の移動可能量を一定に維持でき、その結果、ポケットに挿入する際、蓋部５を前方に安定して押圧できる。
【００３７】
本実施の形態の多芯筆記具１は、蓋部５が、筆記体６を後方に付勢する弾発体８のみによって後方に付勢されることにより、蓋部５を後方に付勢するための別の弾発体が不要となるため、部品数の増加を抑えることができ、しかも、開口部４２を介しての筆記体６及び操作体７の交換が容易となり、さらに、蓋部５を後方に付勢する弾発力を過剰に強くすることなく、ペン先突出状態の容易な解除が可能となる。
【００３８】
尚、本発明で、蓋部５はヒンジ部により軸筒２と接続される構成の他、例えば、蓋部５と軸筒２とが互いに着脱自在に乗り越え嵌合する構成、蓋部５と軸筒２とが互いに着脱自在に螺合する構成でもよい。尚、本発明で、開口部４２の閉鎖状態とは、開口部４２を通して筆記体６及び操作体７が軸筒内から取り外し不能または軸筒内に挿入不能な状態であればよい。
【００３９】
＜第２の実施の形態＞
前記第１の実施の形態の変形例（図５の変形例）を図９に示す。
本実施の形態の多芯筆記具１は、蓋部５が、軸筒２と、ヒンジ部４７において、回動自在且つ前後方向に移動可能に接続される。
【００４０】
具体的には、開口部４２を開閉自在にする蓋部５が、後軸４の後端部に回動自在に設けられる。前記蓋部５は、開口部４２を塞ぐ蓋本体５１と、該蓋本体５１に連設され且つヒンジ部４７により後軸４に回動自在且つ前後方向に移動可能に接続される２本の脚片５２とからなる。前記ヒンジ部４７の回動軸は、ペン先下向きでクリップ４３を正面視したときのクリップ４３の左右方向に延設され、それにより、前記蓋部５は、略前後方向に回動自在となる。
【００４１】
それにより、蓋部５を前方に押圧した際、蓋部５が、ヒンジ部４７を中心に殆ど回動をせずに前方に移動可能となり、蓋部５の前方への押圧操作がスムーズとなる。尚、本実施の形態において、他の構成及び作用効果は、第１の実施の形態（図１乃至図４、図６乃至図８）と共通である。
【符号の説明】
【００４２】
１  多芯筆記具
２  軸筒
３  前軸
３１  前端孔
４  後軸
４１  窓孔
４２  開口部
４３  クリップ
４４  被係合部
４５  被規制部
４６  係止壁部
４７  ヒンジ部
５  蓋部
５１  蓋本体
５２  脚片
５３  当接壁部
５４  係合部
５５  規制部
６  筆記体
６１  ペン先
６２  インキ収容管
７  操作体
７１  操作部
７２  前側突出部
７３  後側突出部
７４  嵌入部
７５  鍔部
８  弾発体
９  弾発体支持部
９１  内孔
Ｔ  隙間
【図１】
2010284934.tif 000003
【図２】
2010284934.tif 000004
【図３】
2010284934.tif 000005
【図４】
2010284934.tif 000006
【図５】
2010284934.tif 000007
【図６】
2010284934.tif 000008
【図７】
2010284934.tif 000009
【図８】
2010284934.tif 000010
【図９】
2010284934.tif 000011